(57)【要約】【課題】  締結部品の収容作業が容易で、しかも収容した締結部品の員数の確認も目視により容易、かつ迅速に行なえ、作業全体の自動化も可能である締結部品のパック体を提供すること。【解決手段】  パック体Ｐは、剛性又は準剛性の容器本体２に複数個の収容凹部９が区画して設けられ、収容凹部９に、小ねじ、ナット、タッピンねじ、座金等の締結部品２０を個別に収容し、収容凹部９の開口を蓋体３で閉鎖したことを特徴とする。収容凹部９は、通常２個ないし８個程度である。【選択図】      図１
2007069912.tif 000002
【特許請求の範囲】
【請求項１】
剛性又は準剛性の容器本体に複数個の収容凹部が区画して設けられ、前記収容凹部に、小ねじ、ナット、タッピンねじ、座金等の締結部品を個別に収容し、前記収容凹部の開口を蓋体で閉鎖したことを特徴とする締結部品のパック体。
【請求項２】
前記収容凹部が、２個ないし８個である請求項１記載の締結部品のパック体。
【請求項３】
前記容器本体と前記蓋体がヒンジ部を介して折り重ね可能に連結されている請求項１又は２記載の締結部品のパック体。
【請求項４】
前記容器本体と前記蓋体とが別体に形成されている請求項１又は２記載の締結部品のパック体。
【発明の詳細な説明】
【技術分野】
【０００１】
本発明は、例えば各種家電製品や電子機器等の包装箱に、少量の締結部品を付属部品として入れるのに適した締結部品のパック体に関するものである。
【背景技術】
【０００２】
各種家電製品、電子機器、家具その他の家庭用製品の付属部品として、その製品の組立等に供する少量（２個ないし８個程度）の締結部品（小ねじ、ナット、タッピンねじ、座金等）を製品の包装箱に一緒に入れることが多い。
【０００３】
従来、このような少量の締結部品には、小さなポリ袋に収容し、開口部を折り曲げて接着テープにより閉鎖した締結部品のパック体が最も一般的に用いられている。
【０００４】
しかし、このようなポリ袋を用いた締結部品のパック体は、手作業により締結部品をポリ袋に入れて閉鎖するため、手間と労力を要するのみならず、ポリ袋に収容した締結部品の員数を確認するための作業に多くの手間と費用を要するという問題があった。
【発明の開示】
【発明が解決しようとする課題】
【０００５】
本発明は、上記問題点に鑑みてなされたものであり、締結部品の収容作業が容易で、しかも収容した締結部品の員数の確認も目視により容易、かつ迅速に行なえ、作業全体の自動化も可能である締結部品のパック体を提供することを目的とする。
【課題を解決するための手段】
【０００６】
上記目的を達成するために、本発明による締結部品のパック体は、剛性又は準剛性の容器本体に複数個の収容凹部が区画して設けられ、前記収容凹部に、小ねじ、ナット、タッピンねじ、座金等の締結部品を個別に収容し、前記収容凹部の開口を蓋体で閉鎖したことを特徴とする。前記収容凹部は、通常２個ないし８個程度である。
【０００７】
本発明によるパック体に用いる容器は、前記容器本体と前記蓋体がポリエステル樹脂、ポリプロピレン樹脂等のリサイクル可能な樹脂材料により剛性又は準剛性を有するように成形され、前記容器本体と前記蓋体とがヒンジ部を介して折り重ね可能に連結されている。前記容器本体と前記蓋体は、別体に形成してもよい。
【発明の効果】
【０００８】
本発明のパック体は、締結部品の収容作業が容易で、しかも収容した締結部品の員数の確認も目視により容易、かつ迅速に行なえるので、少量の締結部品を収容するのに適している。また、締結部品の収容作業及び員数確認作業を容易に自動化することが可能である。
【発明を実施するための最良の形態】
【０００９】
以下、本発明の実施の形態を図面に基づいて説明する。
【００１０】
図１は、本発明によるパック体に用いる容器１の一例を示している。該容器１は、例えばポリエステル樹脂又はポリプロピレン樹脂のシート材を圧縮成形して製造された透明体からなり、４個の独立した収容凹部９が区画して設けられた容器本体２と、該容器本体２の一側縁にヒンジ部４を介して連結された蓋体３とから成り、収容する内容物により変形しない剛性又は準剛性を有している。容器本体２は平板状のベース部５から突出して形成された輪郭形状が角丸の四角形状の中空台部６を有し、該中空台部６の外側壁７は約５度の抜き勾配の傾斜面に形成されている。そして、中空台部６の頂面８から中空部に向けてそれぞれ独立して延びる４個の収容凹部９が２つずつ並列状態に区画して設けられている。各収容凹部９の側壁１０は約５度の抜き勾配を有する傾斜面に形成されている。蓋体３は、容器本体２のベース部５に連続する平板状のベース部１１から中空台部６とは反対側に突出する覆い凹部１２を有し、該覆い凹部１２は容器本体２の中空台部６に密接状態に被嵌する形状に成形され、その内側壁１３は中空台部６の外側壁７に添うように約５度の抜き勾配を有する傾斜面に形成されている。そして、容器本体２のベース部５と蓋体３のベース部１１との境界にミシン目を入れて折り曲げ可能なヒンジ部４が設けられている。また、容器本体２のベース部５には、ヒンジ部４に対向する側縁から延出する摘み片１４が連設されており、該摘み片１４とベース部５との境界域にＶ字状の切込み１５が設けられている。該切込み１５は、後述するように蓋体３を開く際、摘み片１４の折り曲げ操作を容易にするために設けられている。
【００１１】
上記のように構成された容器本体２の各収容凹部９に４個の締結部品、例えば小ねじ２０を個別に収容した後、蓋体３をヒンジ部４で折り曲げて覆い凹部１２を中空台部６に被せるように重ね合わせると、各収容凹部９の開口が蓋体３により閉鎖されると共に、蓋体３の覆い凹部１２の内側壁１３が容器本体２の中空台部６の外側壁７に密接保持され、また、相対するベース部５とベース部１１も密接して、図２に示すように、締結部品のパック体Ｐが完成する。このような締結部品のパック体Ｐは、各種家電製品、電気機器、家具その他の家庭用製品の包装箱に、その製品の組立等に用いる付属部品として一緒に入れる。
【００１２】
このようなパック体Ｐに収容されている小ねじ２０などの締結部品を使用する場合は、容器本体２の摘み片１４を少し折り曲げ、蓋体３のベース部１１を持ち上げると、蓋体３がヒンジ部４を支点に容器本体２から容易に外れるので、各収容凹部９に収容されている小ねじ２０を取り出して使用する。なお、容器本体２の収容凹部９に収容する締結部品は、図示した小ねじ２０のほかナット、タッピンねじ、座金その他の比較的小さい締結部品である。
【００１３】
図３は、容器１の別の実施形態を示しており、容器本体２に設けられる収容凹部９が４個ずつ２列に配列して合計８個の収容凹部９を有している。該容器１の容器本体２と蓋体３の基本的な構成は、図１、２に示した実施形態と同じであり、同一構成部分に同一の符号を付して説明は省略する。なお、ヒンジ部４はミシン目ではなく、Ｕ字形断面の屈曲部により形成されている。また、摘み片１４及び切込み１５は設けられていないけれども、必要により設けることは可能である。
【００１４】
図４は、容器１のさらに別の実施形態を示している。該実施形態は、容器本体２と蓋体３の構成は基本的には図１、２に示した実施形態と同じであるが、容器本体２と蓋体３をそれぞれ別体に構成した点が異なっている。したがって、同一構成部分に同一符号を付して説明は省略する。なお、この実施形態においても、摘み片１４及び切込み１５は設けられていないが、必要により設けることは可能である。
【図面の簡単な説明】
【００１５】
【図１】本発明のパック体に用いる容器の斜視図である。
【図２】同上容器に締結部品を収容したパック体の縦断正面図である。
【図３】本発明のパック体に用いる容器の別の実施形態を示しており、（ａ）は平面図、（ｂ）は縦断正面図である。
【図４】本発明のパック体に用いる容器のさらに別の実施形態を示しており、（ａ）は容器本体の平面図、（ｂ）は同容器本体の縦断正面図、（ｃ）は蓋体の平面図、（ｄ）は同蓋体の正面図である。
【符号の説明】
【００１６】
１  容器
２  容器本体
３  蓋体
４  ヒンジ部
５  ベース部
６  中空台部
７  外側壁
８  頂面
９  収容凹部
１１  ベース部
１２  覆い凹部
１３  内側壁
１４  摘み片
１５  切込み
２０  小ねじ（締結部品）
【図１】
2007069912.tif 000003
【図２】
2007069912.tif 000004
【図３】
2007069912.tif 000005
【図４】
2007069912.tif 000006